(57)【要約】【課題】日常生活で生じる待ち時間において、カラオケ歌唱の愛好者が手軽にカラオケ歌唱を楽しむことを可能とする家庭用カラオケシステムを提供する。【解決手段】特定の機能を有する生活家電機器、及びカラオケ演奏が可能な情報端末がネットワークを介して通信可能に接続された家庭用カラオケシステムであって、生活家電機器は、特定の機能に関する動作情報を決定する決定部、決定された動作情報を情報端末に送信する情報送信部、を有し、情報端末は、利用者のカラオケ歌唱に関する履歴情報を記憶する履歴情報記憶部、履歴情報、及び受信した動作情報に基づいて、楽曲を選択する選択部、選択された楽曲のカラオケ演奏を行う演奏処理部を有する。【選択図】図４
2019174611.tif 000002
【特許請求の範囲】
【請求項１】
特定の機能を有する生活家電機器、及びカラオケ演奏が可能な情報端末がネットワークを介して通信可能に接続された家庭用カラオケシステムであって、
前記生活家電機器は、
前記特定の機能に関する動作情報を決定する決定部と、
決定された前記動作情報を前記情報端末に送信する情報送信部と、
を有し、
前記情報端末は、
利用者のカラオケ歌唱に関する履歴情報を記憶する履歴情報記憶部と、
前記履歴情報、及び受信した前記動作情報に基づいて、楽曲を選択する選択部と、
選択された前記楽曲のカラオケ演奏を行う演奏処理部と、
を有する家庭用カラオケシステム。
【請求項２】
前記動作情報は、前記特定の機能を実行させる時間を示す実行時間情報を含み、
前記選択部は、前記実行時間情報が示す時間内でカラオケ演奏が可能な楽曲を選択することを特徴とする請求項１記載の家庭用カラオケシステム。
【請求項３】
前記動作情報は、前記特定の機能の実行を開始したことを示す機能開始情報を含み、
前記演奏処理部は、前記機能開始情報を受信した場合に、選択された前記楽曲のカラオケ演奏を行うことを特徴とする請求項１または２記載の家庭用カラオケシステム。
【請求項４】
特定の機能を有する生活家電機器、及びカラオケ演奏が可能な情報端末がネットワークを介して通信可能に接続された家庭用カラオケシステムであって、
前記情報端末は、
前記特定の機能に関する動作情報を決定する決定部と、
決定された前記動作情報を前記生活家電機器に送信する情報送信部と、
利用者のカラオケ歌唱に関する履歴情報を記憶する履歴情報記憶部と、
前記履歴情報、及び前記動作情報に基づいて、楽曲を選択する選択部と、
選択された前記楽曲のカラオケ演奏を行う演奏処理部と、
を有し、
前記生活家電機器は、
受信した前記動作情報に基づいて、前記特定の機能を実行させる動作制御部を有する家庭用カラオケシステム。
【請求項５】
前記動作情報は、前記特定の機能を実行させる時間を示す実行時間情報、及び前記特定の機能の実行を開始させる機能実行情報を含み、
前記選択部は、前記履歴情報、及び前記実行時間情報に基づいて、楽曲を選択し、
前記動作制御部は、前記機能実行情報に基づいて前記特定の機能の実行を開始させ、前記実行時間情報に対応する時間、前記特定の機能を実行させることを特徴とする請求項４記載の家庭用カラオケシステム。
【請求項６】
前記動作情報は、前記特定の機能を実行させる時間を示す実行時間情報、前記特定の機能の実行を開始させる機能実行情報、及び前記特定の機能の実行を終了させる機能終了情報を含み、
前記選択部は、前記履歴情報、及び前記実行時間情報に基づいて、楽曲を選択し、
前記動作制御部は、前記機能実行情報に基づいて前記特定の機能の実行を開始させ、前記機能終了情報に基づいて前記特定の機能の実行を終了させることを特徴とする請求項４記載の家庭用カラオケシステム。
【発明の詳細な説明】
【技術分野】
【０００１】
本発明は家庭用カラオケシステムに関する。
【背景技術】
【０００２】
パーソナルコンピュータ、スマートフォン、ゲーム機器、或いはスマートスピーカのような情報端末を用いて、家庭で手軽にカラオケ歌唱を楽しむことができる。
【０００３】
たとえば、特許文献１には、通信端末を用いてカラオケ演奏を行う際に、サーバ装置からカラオケ演奏用の楽曲データのストリーミング配信を受けることができるカラオケ用プログラムが開示されている。
【先行技術文献】
【特許文献】
【０００４】
【特許文献１】特開２０１５−２１０３２６号公報
【発明の概要】
【発明が解決しようとする課題】
【０００５】
ところで、カラオケ歌唱の愛好者は、日常生活で生じる待ち時間にカラオケ歌唱を楽しみたいと考えることがある。たとえば、ある愛好者は、電子レンジで冷凍食品を解凍する際の待ち時間に、カラオケ歌唱を行いたいと考えることがある。
【０００６】
しかし、特許文献１に記載の技術では、カラオケ歌唱を行うにあたって通信端末の操作が必要であったり、楽曲を選曲する必要がある。すなわち、特許文献１に記載の技術では、冷凍食品を解凍する際の待ち時間のような短時間にカラオケ歌唱を楽しむことが困難である。
【０００７】
本発明の目的は、日常生活で生じる待ち時間において、カラオケ歌唱の愛好者が手軽にカラオケ歌唱を楽しむことを可能とする家庭用カラオケシステムを提供することにある。
【課題を解決するための手段】
【０００８】
上記目的を達成するための主たる発明は、特定の機能を有する生活家電機器、及びカラオケ演奏が可能な情報端末がネットワークを介して通信可能に接続された家庭用カラオケシステムであって、前記生活家電機器は、前記特定の機能に関する動作情報を決定する決定部と、決定された前記動作情報を前記情報端末に送信する情報送信部と、を有し、前記情報端末は、利用者のカラオケ歌唱に関する履歴情報を記憶する履歴情報記憶部と、前記履歴情報、及び受信した前記動作情報に基づいて、楽曲を選択する選択部と、選択された前記楽曲のカラオケ演奏を行う演奏処理部と、を有する家庭用カラオケシステムである。
本発明の他の特徴については、後述する明細書及び図面の記載により明らかにする。
【発明の効果】
【０００９】
本発明によれば、日常生活で生じる待ち時間において、カラオケ歌唱の愛好者が手軽にカラオケ歌唱を楽しむことができる。
【図面の簡単な説明】
【００１０】
【図１】第１実施形態に係る家庭用カラオケシステムの概略を示す図である。
【図２】第１実施形態に係る生活家電機器のハードウェア構成例を示す図である。
【図３】第１実施形態に係る情報端末のハードウェア構成例を示す図である。
【図４】第１実施形態に係る家庭用カラオケシステムの処理を示すフローチャートである。
【図５】第２実施形態に係る情報端末のハードウェア構成例を示す図である。
【図６】第２実施形態に係る生活家電機器のハードウェア構成例を示す図である。
【図７】第２実施形態に係る家庭用カラオケシステムの処理を示すフローチャートである。
【発明を実施するための形態】
【００１１】
＜第１実施形態＞
図１〜図４を参照して、第１実施形態に係る家庭用カラオケシステム１について説明する。
【００１２】
＝＝家庭用カラオケシステム＝＝
図１に示すように、家庭用カラオケシステム１は、生活家電機器Ｄ、及び情報端末Ｔを備える。生活家電機器Ｄと情報端末Ｔとは、ネットワークＮを介して通信可能となっている。ネットワークＮは、たとえば有線あるいは無線によるローカルエリアネットワークやインターネット回線等の伝送路である。
【００１３】
生活家電機器Ｄは、家庭内で使用される機器であり、特定の機能を有する。生活家電機器Ｄは、たとえば、電子レンジやオーブンのような調理機器、洗濯機である。生活家電機器Ｄは、一の情報端末Ｔに対して複数設けられていてもよい。
【００１４】
情報端末Ｔは、利用者が操作可能な電子機器である。情報端末Ｔは、たとえば、パーソナルコンピュータ、スマートフォン、ゲーム機器、スマートスピーカである。本実施形態における情報端末Ｔは、カラオケ演奏が可能となっている（詳細は後述）。
【００１５】
＝＝生活家電機器＝＝
図２は生活家電機器Ｄのハードウェア構成例を示す図である。生活家電機器Ｄは、記憶部１０、入力部１１、通信部１２、提示部１３、機能部１４、及び制御部１５を備える。各構成はインターフェース（図示なし）を介してバスＢに接続されている。以下、生活家電機器Ｄとして電子レンジを例に説明する。
【００１６】
［記憶部］
記憶部１０は、生活家電機器Ｄで利用する各種のプログラムやデータを記憶する記憶装置である。本実施形態に係る記憶部１０は、たとえば、食品毎に設定された加熱プログラム（食品解凍用、あたため用等）を記憶する。
【００１７】
［入力部］
入力部１１は、生活家電機器Ｄに対する各種操作入力を行うためのインターフェースである。入力部１１は、たとえば、パネルスイッチやリモコン受信回路などから構成される。或いは、入力部１１は、提示部１３（ディスプレイ１３ａ）に表示されたＧＵＩであってもよい。入力部１１は、利用者からの操作信号を制御部１５に対して出力する。制御部１５は、入力部１１からの操作信号を検出し、対応する処理を実行する。
【００１８】
［通信部］
通信部１２は、生活家電機器Ｄと情報端末Ｔとを接続するためのインターフェースを提供する。
【００１９】
［提示部］
提示部１３は、生活家電機器Ｄにおける各種情報を利用者に対して提示する。提示部１３は、たとえばディスプレイ１３ａやスピーカ１３ｂである。
【００２０】
［機能部］
機能部１４は、生活家電機器Ｄが備える特定の機能を実行するための構成である。電子レンジの場合、食品等の加熱機能が「特定の機能」に相当する。機能部１４は、加熱機能を実行するために使用する構成であり、たとえば真空管装置や食品等を載せ置くテーブル等である。
【００２１】
［制御部］
制御部１５は、生活家電機器Ｄにおける各種の制御を行う。制御部１５はＣＰＵおよびメモリ（いずれも図示無し）を備える。本実施形態において、ＣＰＵがメモリに記憶されるプログラムを実行することにより、制御部１５は、決定部１５ａ及び情報送信部１５ｂとして機能する。
【００２２】
（決定部）
決定部１５ａは、動作情報を決定する。動作情報は、生活家電機器Ｄにおける特定の機能の動作に関する各種情報である。本実施形態において動作情報は、実行時間情報、及び機能開始情報を含む。
【００２３】
実行時間情報は、特定の機能を実行させる時間を示す情報である。機能開始情報は、特定の機能の実行を開始したことを示す情報である。電子レンジの場合、実行時間情報は、入力部１１を介して利用者が入力した、食品等を加熱する加熱時間（加熱機能を実行する時間）や、食品毎に設定された加熱プログラムが示す時間である。機能開始情報は、入力部１１を介して利用者が入力した、加熱開始の指示に基づく情報である。
【００２４】
具体的に、利用者Ｘは入力部１１を介して任意の加熱時間を入力する。この場合、決定部１５ａは、入力された加熱時間（たとえば、５分００秒）を、実行時間情報として決定し、情報送信部１５ｂに出力する。
【００２５】
その後、利用者Ｘは入力部１１を介して加熱開始を指示する。この場合、決定部１５ａは、当該指示に基づいて、機能開始情報を決定し、情報送信部１５ｂに出力する。
【００２６】
加熱開始の指示に伴い、制御部１５は、機能部１４を制御して、食品等の加熱を開始する。また、制御部１５は、加熱時間の計測を開始する。この際、制御部１５は、ディスプレイ１３ａに加熱終了までの残り時間をカウントダウン表示させる。そして、設定された加熱時間が経過した場合、制御部１５は、機能部１４を制御して、加熱を終了する。この際、制御部１５は、スピーカ１３ｂから加熱終了の告知音を放音させる。
【００２７】
（情報送信部）
情報送信部１５ｂは、決定された動作情報を情報端末Ｔに送信する。本実施形態に係る情報送信部１５ｂは、実行時間情報及び機能開始情報それぞれが入力されたタイミングで、通信部１２を介して当該情報を情報端末Ｔに送信する。
【００２８】
＝＝情報端末＝＝
図３は情報端末Ｔのハードウェア構成例を示す図である。情報端末Ｔは、記憶部２０、入力部２１、通信部２２、提示部２３、及び制御部２４を備える。各構成はインターフェース（図示なし）を介してバスＢに接続されている。
【００２９】
［記憶部］
記憶部２０は、情報端末Ｔで利用する各種のプログラムやデータを記憶する記憶装置である。本実施形態に係る記憶部２０は、楽曲データ記憶部２０ａ及び履歴情報記憶部２０ｂを含んで構成されている。
【００３０】
（楽曲データ記憶部）
楽曲データ記憶部２０ａは、情報端末Ｔにおいてカラオケ演奏を行うための複数の楽曲（楽曲データ）を記憶する。楽曲データは、個々の楽曲を特定するための楽曲ＩＤ（識別情報）が付与されている。楽曲データは、少なくともカラオケ演奏を行うための伴奏データを含む。なお、楽曲データは、リファレンスデータ、ガイドメロディデータ、歌詞テロップデータ、背景画像データ、及び楽曲の属性情報（楽曲名、歌手名、作詞・作曲者名、ジャンル等の楽曲に関する情報）を含んでいてもよい。
【００３１】
（履歴情報記憶部）
履歴情報記憶部２０ｂは、情報端末Ｔを所有する利用者のカラオケ歌唱に関する履歴情報を記憶する。履歴情報は、利用者が過去に行ったカラオケ歌唱や情報端末Ｔにおいて実行されたカラオケ演奏に関する各種データであり、楽曲ＩＤ、歌唱日時（演奏日時）、及び演奏に要する時間を含む。或いは、履歴情報として、所定期間における歌唱回数（演奏回数）を楽曲毎に集計し、記憶してもよい。
【００３２】
［入力部］
入力部２１は、情報端末Ｔに対する各種操作入力を行うためのインターフェースである。入力部２１は、たとえば、キーボードや、提示部２３（ディスプレイ２３ａ）に表示されたＧＵＩである。入力部２１は、利用者からの操作信号を制御部２４に対して出力する。制御部２４は、入力部２１からの操作信号を検出し、対応する処理を実行する。
【００３３】
［通信部］
通信部２２は、情報端末Ｔと生活家電機器Ｄとを接続するためのインターフェースを提供する。
【００３４】
［提示部］
提示部２３は、情報端末Ｔにおける各種情報を利用者に対して提示する。提示部２３は、たとえばディスプレイ２３ａやスピーカ２３ｂである。
【００３５】
［制御部］
制御部２４は、情報端末Ｔにおける各種の制御を行う。制御部２４はＣＰＵおよびメモリ（いずれも図示無し）を備える。本実施形態において、ＣＰＵがメモリに記憶されるプログラムを実行することにより、制御部２４は、選択部２４ａ及び演奏処理部２４ｂとして機能する。
【００３６】
（選択部）
選択部２４ａは、履歴情報、及び受信した動作情報に基づいて、楽曲を選択する。本実施形態に係る選択部２４ａは、実行時間情報が示す時間内でカラオケ演奏が可能な楽曲を選択する。
【００３７】
たとえば、情報送信部１５ｂから利用者Ｘが入力した実行時間情報（５分００秒）を受信したとする。この場合、選択部２４ａは、利用者Ｘの履歴情報に含まれる楽曲のうち、演奏時間が「５分００秒」以内の楽曲を選択する。ここで、「５分００秒」以内の演奏時間の楽曲が複数ある場合、選択部２４ａは、演奏時間が「５分００秒」に最も近い一の楽曲を選択する。選択部２４ａは、選択した楽曲の楽曲ＩＤを演奏処理部２４ｂに出力する。
【００３８】
なお、楽曲の選択は上記例に限られない。たとえば、履歴情報に含まれる楽曲のうち、所定期間（たとえば、直近１か月以内）にカラオケ演奏された楽曲や、歌唱回数（演奏回数）が所定数（たとえば、２０回以上）の楽曲の中から、演奏時間が実行時間情報に最も近い一の楽曲を選択することができる。また、選択される楽曲は一曲でなくてもよい。選択部２４ａは、実行時間情報が示す時間内に演奏時間が収まれば、複数の楽曲を選択してもよい。
【００３９】
（演奏処理部）
演奏処理部２４ｂは、選択された楽曲のカラオケ演奏を行う。本実施形態に係る演奏処理部２４ｂは、機能開始情報を受信したタイミングで、選択された楽曲のカラオケ演奏を行う。
【００４０】
たとえば、選択部２４ａにより楽曲Ａが選択された後、情報送信部１５ｂから機能開始情報を受信したとする。この場合、演奏処理部２４ｂは、楽曲データ記憶部２０ａから楽曲Ａの伴奏データを読み出し、当該伴奏データに基づくカラオケ演奏音をスピーカ２３ｂから放音させる。従って、電子レンジにおいて食品等の加熱が開始されるのとほぼ同時に情報端末Ｔによりカラオケ演奏が実行される。また、選択された楽曲Ａの演奏時間は、電子レンジにおいて入力された実行時間情報が示す加熱時間より短い。従って、演奏処理部２４ｂは、加熱終了前にカラオケ演奏を終了できる。
【００４１】
なお、演奏処理部２４ｂは、楽曲データ記憶部２０ａから伴奏データを読み出す代わりに、サーバ装置（図示なし）から伴奏データのストリーミング配信を受け、カラオケ演奏を行うことも可能である。この場合、楽曲データ記憶部２０ａは不要である。或いは、演奏処理部２４ｂは、楽曲データ記憶部２０ａに記憶されている歌詞テロップデータ、背景画像データ、及び楽曲の属性情報を利用して、ディスプレイ２３ａに楽曲の歌詞や背景映像を表示させたり、カラオケ演奏されている楽曲に関する情報（曲名、歌手名等）を表示させてもよい。
【００４２】
＝＝家庭用カラオケシステムにおける処理について＝＝
次に、図４を参照して本実施形態に係る家庭用カラオケシステム１における処理の具体例について述べる。図４は、家庭用カラオケシステム１における処理例を示すフローチャートである。
【００４３】
利用者Ｘは、生活家電機器Ｄ（電子レンジ）の入力部１１を介し、加熱時間を入力する。決定部１５ａは、入力された加熱時間を実行時間情報として決定する（実行時間情報の決定。ステップ１０）。
【００４４】
情報送信部１５ｂは、ステップ１０で決定された実行時間情報を情報端末Ｔに送信する（実行時間情報の送信。ステップ１１）。
【００４５】
選択部２４ａは、ステップ１１で送信された実行時間情報が示す時間内でカラオケ演奏が可能な楽曲を選択する（楽曲の選択。ステップ１２）。
【００４６】
その後、利用者Ｘは、生活家電機器Ｄ（電子レンジ）の入力部１１を介し、加熱の開始を指示する。決定部１５ａは、加熱機能の実行を開始したことを示す機能開始情報を決定する（機能開始情報の決定。ステップ１３）。
【００４７】
情報送信部１５ｂは、ステップ１３で決定された機能開始情報を情報端末Ｔに送信する（機能開始情報の送信。ステップ１４）。なお、加熱の開始の指示に伴って、制御部１５は、機能部１４を制御し、加熱を開始する（加熱開始。ステップ１５）。
【００４８】
演奏処理部２４ｂは、ステップ１４で送信された機能開始情報を受信した場合に、ステップ１２で選択された楽曲の伴奏データを読み出し、カラオケ演奏を開始する（カラオケ演奏の開始。ステップ１６）。
【００４９】
加熱時間経過後、制御部１５は、機能部１４を制御し、加熱を終了する（加熱終了。ステップ１７）。一方、演奏処理部２４ｂは、ステップ１２で選択された楽曲のカラオケ演奏を最後まで行う（カラオケ演奏の終了。ステップ１８）。
【００５０】
このように、本実施形態に係る家庭用カラオケシステム１は、特定の機能を有する生活家電機器Ｄ、及びカラオケ演奏が可能な情報端末ＴがネットワークＮを介して通信可能に接続されている。生活家電機器Ｄは、特定の機能に関する動作情報を決定する決定部１５ａと、決定された動作情報を情報端末Ｔに送信する情報送信部１５ｂと、を有する。情報端末Ｔは、利用者のカラオケ歌唱に関する履歴情報を記憶する履歴情報記憶部２０ｂと、履歴情報、及び受信した動作情報に基づいて、楽曲を選択する選択部２４ａと、選択された楽曲のカラオケ演奏を行う演奏処理部２４ｂと、を有する。具体的に、動作情報は、特定の機能を実行させる時間を示す実行時間情報を含み、選択部２４ａは、実行時間情報が示す時間内でカラオケ演奏が可能な楽曲を選択する。また、動作情報は、特定の機能の実行を開始したことを示す機能開始情報を含み、演奏処理部２４ｂは、機能開始情報を受信した場合に、選択された楽曲のカラオケ演奏を行う。
【００５１】
生活家電機器Ｄで特定の機能を実行する時間内でカラオケ演奏が可能な楽曲を選択し、特定の機能の実行開始に伴って当該楽曲のカラオケ演奏を開始することにより、利用者は、特定の機能が実行されている間（待ち時間）にカラオケ歌唱を行うことができる。また、利用者は、特定の機能を実行させる時間及び特定の機能の実行開始を入力するだけでよいため、楽曲を選択する手間を省くことができる。すなわち、本実施形態に係る家庭用カラオケシステム１によれば、日常生活で生じる待ち時間において、カラオケ歌唱の愛好者が手軽にカラオケ歌唱を楽しむことができる。
【００５２】
＜第１実施形態の変形例＞
生活家電機器Ｄとして、加熱時間の設定及び計測を行う機能（タイマー機能）のみを有するタイマー装置を用いることも可能である。この場合、タイマー機能が「特定の機能」に相当する。
【００５３】
具体例として、利用者Ｘは入力部１１を介してタイマーの稼働時間を入力する。この場合、決定部１５ａは、入力された稼働時間を、実行時間情報として決定し、情報送信部１５ｂに出力する。
【００５４】
その後、利用者Ｘは入力部１１を介してタイマーの稼働開始を指示する。この場合、決定部１５ａは、当該指示に基づいて、機能開始情報を決定し、情報送信部１５ｂに出力する。
【００５５】
稼働開始の指示に伴い、制御部１５は、機能部１４を制御して、稼働時間の計測を開始する。この際、制御部１５は、ディスプレイ１３ａに稼働終了までの残り時間をカウントダウン表示させる。そして、設定された稼働時間が経過した場合、制御部１５は、機能部１４を制御して、タイマーの稼働を終了する。この際、制御部１５は、スピーカ１３ｂから稼働終了の告知音を放音させる。
【００５６】
＜第２実施形態＞
次に、図５〜図７を参照して、第２実施形態に係る家庭用カラオケシステム１について説明する。第１実施形態では、生活家電機器Ｄ側で動作情報を決定する例について述べた。一方、本実施形態では、情報端末Ｔ側で動作情報を決定する例について述べる。本実施形態においても、生活家電機器Ｄの例として電子レンジを用いて説明する。なお、第１実施形態と同様の構成等については詳細な説明を省略する。
【００５７】
＝＝情報端末＝＝
図５は情報端末Ｔのハードウェア構成例を示す図である。情報端末Ｔは、記憶部２０、入力部２１、通信部２２、提示部２３、及び制御部２４を備える。各構成はインターフェース（図示なし）を介してバスＢに接続されている。
【００５８】
［制御部］
制御部２４は、情報端末Ｔにおける各種の制御を行う。制御部２４はＣＰＵおよびメモリ（いずれも図示無し）を備える。本実施形態において、ＣＰＵがメモリに記憶されるプログラムを実行することにより、制御部２４は、決定部２４ｃ、情報送信部２４ｄ、選択部２４ｅ、及び演奏処理部２４ｆとして機能する。
【００５９】
（決定部）
決定部２４ｃは、動作情報を決定する。動作情報は、生活家電機器Ｄにおける特定の機能の動作に関する各種情報である。本実施形態において動作情報は、実行時間情報、及び機能実行情報を含む。
【００６０】
実行時間情報は、特定の機能を実行させる時間を示す情報である。機能実行情報は、特定の機能の実行を開始させる情報である。実行時間情報は、入力部２１を介して利用者が入力した、食品等を加熱する加熱時間（加熱機能を実行する時間）である。機能実行情報は、入力部２１を介して利用者が入力した、生活家電機器Ｄ（電子レンジ）に対する加熱開始の指示である。
【００６１】
具体的に、利用者Ｘは入力部２１を介して任意の加熱時間を入力する。この場合、決定部２４ｃは、入力された加熱時間（たとえば、５分００秒）を、実行時間情報として決定し、情報送信部２４ｄに出力する。
【００６２】
その後、利用者Ｘは入力部２１を介して加熱開始を指示する。この場合、決定部２４ｃは、当該指示に基づいて、機能実行情報を決定し、情報送信部２４ｄに出力する。
【００６３】
（情報送信部）
情報送信部２４ｄは、決定された動作情報を生活家電機器Ｄに送信する。本実施形態に係る情報送信部２４ｄは、たとえば、実行時間情報及び機能実行情報の両方が入力された後、通信部２２を介して当該情報を生活家電機器Ｄに送信する。また、情報送信部２４ｄは、実行時間情報を選択部２４ｅに出力し、機能実行情報を演奏処理部２４ｆに出力する。
【００６４】
（選択部）
選択部２４ｅは、履歴情報、及び動作情報に基づいて、楽曲を選択する。本実施形態に係る選択部２４ｅは、実行時間情報が示す時間内でカラオケ演奏が可能な楽曲を選択する。
【００６５】
たとえば、選択部２４ｅは、情報送信部２４ｄから利用者Ｘが入力した実行時間情報（５分００秒）の入力を受け付けたとする。この場合、選択部２４ｅは、利用者Ｘの履歴情報に含まれる楽曲のうち、演奏時間が「５分００秒」以内の楽曲を選択する。なお、楽曲の選択については、第１実施形態と同様の方法を用いることができる。
【００６６】
（演奏処理部）
演奏処理部２４ｆは、選択された楽曲のカラオケ演奏を行う。本実施形態に係る演奏処理部２４ｆは、情報送信部２４ｄから機能実行情報の入力を受け付けたタイミング（或いは、情報送信部２４ｄが生活家電機器Ｄに機能実行情報を送信したタイミング）で、選択された楽曲のカラオケ演奏を行う。
【００６７】
たとえば、演奏処理部２４ｆは、選択部２４ｅにより楽曲Ａが選択された後、情報送信部２４ｄから機能実行情報の入力を受け付けたとする。この場合、演奏処理部２４ｆは、楽曲データ記憶部２０ａから楽曲Ａの伴奏データを読み出し、当該伴奏データに基づくカラオケ演奏音をスピーカ２３ｂから放音させる。
【００６８】
＝＝生活家電機器＝＝
図６は生活家電機器Ｄのハードウェア構成例を示す図である。生活家電機器Ｄは、記憶部１０、入力部１１、通信部１２、提示部１３、機能部１４、及び制御部１５を備える。各構成はインターフェース（図示なし）を介してバスＢに接続されている。
【００６９】
［制御部］
制御部１５は、生活家電機器Ｄにおける各種の制御を行う。制御部１５はＣＰＵおよびメモリ（いずれも図示無し）を備える。本実施形態において、ＣＰＵがメモリに記憶されるプログラムを実行することにより、制御部１５は、動作制御部１５ｃとして機能する。
【００７０】
（動作制御部）
動作制御部１５ｃは、受信した動作情報に基づいて、特定の機能を実行させる。本実施形態に係る動作制御部１５ｃは、機能実行情報に基づいて特定の機能の実行を開始させ、実行時間情報に対応する時間、特定の機能を実行させる。
【００７１】
具体例として、情報端末Ｔから機能実行情報を受信した場合、動作制御部１５ｃは、機能部１４を制御して、食品等の加熱を開始する。また、動作制御部１５ｃは、加熱時間の計測を開始する。この際、動作制御部１５ｃは、ディスプレイ１３ａに加熱終了までの残り時間をカウントダウン表示させる。そして、実行時間情報が示す加熱時間が経過した場合、動作制御部１５ｃは、機能部１４を制御して、加熱を終了する。この際、動作制御部１５ｃは、スピーカ１３ｂから加熱終了の告知音を放音させる。
【００７２】
＝＝家庭用カラオケシステムにおける処理について＝＝
次に、図７を参照して本実施形態に係る家庭用カラオケシステム１における処理の具体例について述べる。図７は、家庭用カラオケシステム１における処理例を示すフローチャートである。
【００７３】
利用者Ｘは、情報端末Ｔの入力部２１を介し、加熱時間を入力する。決定部２４ｃは、入力された加熱時間を実行時間情報として決定する（実行時間情報の決定。ステップ２０）。
【００７４】
情報送信部２４ｄは、ステップ２０で決定された実行時間情報を選択部２４ｅに出力する（実行時間情報の出力。ステップ２１）。
【００７５】
選択部２４ｅは、ステップ２１で出力された実行時間情報が示す時間内でカラオケ演奏が可能な楽曲を選択する（楽曲の選択。ステップ２２）。
【００７６】
その後、利用者Ｘは、情報端末Ｔの入力部２１を介し、加熱の開始を指示する。決定部２４ｃは、加熱機能の実行を開始させる機能実行情報を決定する（機能実行情報の決定。ステップ２３）。
【００７７】
情報送信部２４ｄは、ステップ２０で決定された実行時間情報、及びステップ２３で決定された機能実行情報を生活家電機器Ｄに送信する（実行時間情報及び機能実行情報の送信。ステップ２４）。
【００７８】
演奏処理部２４ｆは、ステップ２４で各情報が送信されたタイミングで、ステップ２２で選択された楽曲の伴奏データを読み出し、カラオケ演奏を開始する（カラオケ演奏の開始。ステップ２５）。演奏処理部２４ｆは、ステップ２２で選択された楽曲のカラオケ演奏を最後まで行う（カラオケ演奏の終了。ステップ２６）。
【００７９】
一方、生活家電機器Ｄの動作制御部１５ｃは、機能実行情報に基づいて機能部１４を制御し、加熱を開始する（加熱開始。ステップ２７）。動作制御部１５ｃは、実行時間情報に基づいて加熱時間を計測する。決定された加熱時間経過後、動作制御部１５ｃは、機能部１４を制御し、加熱を終了する（加熱終了。ステップ２８）。
【００８０】
このように、本実施形態に係る家庭用カラオケシステム１は、特定の機能を有する生活家電機器Ｄ、及びカラオケ演奏が可能な情報端末ＴがネットワークＮを介して通信可能に接続されている。情報端末Ｔは、生活家電機器Ｄの特定の機能に関する動作情報を決定する決定部２４ｃと、決定された動作情報を生活家電機器Ｄに送信する情報送信部２４ｄと、利用者のカラオケ歌唱に関する履歴情報を記憶する履歴情報記憶部２０ｂと、履歴情報、及び動作情報に基づいて、楽曲を選択する選択部２４ｅと、選択された楽曲のカラオケ演奏を行う演奏処理部２４ｆと、を有する。生活家電機器Ｄは、受信した動作情報に基づいて、特定の機能を実行させる動作制御部１５ｃを有する。また、動作情報は、特定の機能を実行させる時間を示す実行時間情報、及び特定の機能の実行を開始させる機能実行情報を含む。選択部２４ｅは、履歴情報、及び実行時間情報に基づいて、楽曲を選択する。動作制御部１５ｃは、機能実行情報に基づいて特定の機能の実行を開始させ、実行時間情報に対応する時間、特定の機能を実行させる。
【００８１】
本実施形態のように、生活家電機器Ｄが有する特定の機能を実行させる時間を情報端末Ｔ側で入力した場合であっても、利用者は、特定の機能が実行されている間（待ち時間）にカラオケ歌唱を行うことができる。また、利用者は、特定の機能を実行させる時間及び特定の機能の実行開始を入力するだけでよいため、楽曲を選択する手間を省くことができる。すなわち、本実施形態に係る家庭用カラオケシステム１によれば、日常生活で生じる待ち時間において、カラオケ歌唱の愛好者が手軽にカラオケ歌唱を楽しむことができる。
【００８２】
なお、生活家電機器Ｄが特定の機能を実行するタイミングと情報端末Ｔでカラオケ演奏が開始されるタイミングは極力近い方が好ましい。そこで、情報端末Ｔは、生活家電機器Ｄで特定の機能の実行が開始されたことを受けてカラオケ演奏を開始することも可能である。具体的に、情報端末Ｔは、生活家電機器Ｄに機能実行情報を送信した段階ではカラオケ演奏を開始しない。一方、生活家電機器Ｄは、機能実行情報を受信し、機能部１４を制御して加熱を開始した場合にその旨の信号を情報端末Ｔに送信する。情報端末Ｔは、当該信号を受信した場合にカラオケ演奏を開始する。
【００８３】
＜第２実施形態の変形例＞
第２実施形態の構成において、生活家電機器Ｄにおける特定の機能の実行開始及び終了のタイミングを情報端末Ｔ側で制御することも可能である。
【００８４】
この場合、決定部２４ｃが決定する動作情報は、特定の機能を実行させる時間を示す実行時間情報、特定の機能の実行を開始させる機能実行情報、及び特定の機能の実行を終了させる機能終了情報を含む。選択部２４ｅは、履歴情報、及び実行時間情報に基づいて、楽曲を選択する。動作制御部１５ｃは、機能実行情報に基づいて特定の機能の実行を開始させ、機能終了情報に基づいて特定の機能の実行を終了させる。
【００８５】
たとえば、利用者Ｘは入力部２１を介して任意の加熱時間を入力する。この場合、決定部２４ｃは、入力された加熱時間（たとえば、５分００秒）を、実行時間情報として決定し、情報送信部２４ｄに出力する。その後、利用者Ｘは入力部２１を介して加熱開始を指示する。この場合、決定部２４ｃは、当該指示に基づいて、機能実行情報を決定し、情報送信部２４ｄに出力する。
【００８６】
情報送信部２４ｄは、実行時間情報を選択部２４ｅに出力する。選択部２４ｅは、利用者Ｘの履歴情報に含まれる楽曲のうち、演奏時間が加熱時間以内の楽曲を選択する。
【００８７】
一方、情報送信部２４ｄは、機能実行情報が入力されたタイミングで、通信部２２を介して当該情報を生活家電機器Ｄに送信する。生活家電機器Ｄの動作制御部１５ｃは、機能実行情報を受信した場合、機能部１４を制御し、加熱を開始する。
【００８８】
機能実行情報を生活家電機器Ｄに送信する際、情報端末Ｔの制御部２４は、加熱時間の計測を開始する。そして、実行時間情報が示す加熱時間が経過した場合、決定部２４ｃは、機能終了情報を決定し、情報送信部２４ｄに出力する。情報送信部２４ｄは、機能終了情報を生活家電機器Ｄに送信する。
【００８９】
生活家電機器Ｄの動作制御部１５ｃは、機能終了情報を受信した場合、機能部１４を制御し、加熱を終了する。
【００９０】
このように、情報端末Ｔ側で生活家電機器Ｄにおける特定の機能の実行開始及び終了を制御することにより、生活家電機器Ｄにおいて加熱時間の計測が不要となる。よって、生活家電機器Ｄの機能をより簡素化できる。
【００９１】
＜その他＞
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００９２】
１  家庭用カラオケシステム
１５ａ、２４ｃ  決定部
１５ｂ、２４ｄ  情報送信部
２０ｂ  履歴情報記憶部
２４ａ、２４ｅ  選択部
２４ｂ、２４ｆ  演奏処理部
Ｄ  生活家電機器
Ｔ  情報端末
【図１】
2019174611.tif 000003
【図２】
2019174611.tif 000004
【図３】
2019174611.tif 000005
【図４】
2019174611.tif 000006
【図５】
2019174611.tif 000007
【図６】
2019174611.tif 000008
【図７】
2019174611.tif 000009